(57)【要約】【課題】分析用光ディスク上の分析対象の部分であっても映像の適切なコントラストが得られる分析装置を提供することを目的とする。【解決手段】分析対象１１１の映像取得時にはレーザー出力コントロールのフィードバック制御を実際の映像出力であるフォトディテクタ１１７から得られる信号を積分回路２０９と切り替えスイッチ２０８を介してにＡＰＣ回路１１５にフィードバックしてレーザー駆動回路１１６を制御する。【選択図】　　　図１
2004020452.tif 000002
【特許請求の範囲】
【請求項１】
一部に分析対象を配置した分析用光ディスクに検出光を照射し、前記分析対象の状態を読み取る分析装置において、
分析用光ディスクに照射されるレーザー光を発生するレーザー素子のパワー制御系として、前記レーザー光の出力をモニター受光素子で検出してこのモニター受光素子の値が一定になるようにフィードバックする第１の切り替え状態と、分析用光ディスクに照射されて反射または透過したレーザー光の検出信号の平均値が一定になるようにフィードバックする第２の切り替え状態を設け、
分析用光ディスクの分析対象の読み取り位置を検出するまでは前記パワー制御系を第１の切り替え状態に切り替えて、分析用光ディスクの分析対象の読み取り位置では前記パワー制御系を第２の切り替え状態に切り替える制御手段を設けた分析装置。
【請求項２】
制御手段は、分析用光ディスクの読み取り位置の直前位置に設けられたマークを検出してレーザー素子のパワー制御系を第２の切り替え状態に切り替えるよう構成した
請求項１記載の分析装置。
【請求項３】
制御手段は、分析用光ディスクの読み取り位置の直前位置に設けられたマークを検出してレーザー素子のパワー制御系を第２の切り替え状態に切り替え、規定時間の経過を検出してパワー制御系を第１の切り替え状態に復帰させるよう構成した
請求項１記載の分析装置。
【請求項４】
制御手段は、分析用光ディスクの読み取り位置の直前位置に設けられたマークを検出してレーザー素子のパワー制御系を第２の切り替え状態に切り替え、前記読み取り位置の直後位置に設けられたマークを検出してパワー制御系を第１の切り替え状態に復帰させるよう構成した
請求項１記載の分析装置。
【請求項５】
ピットもしくはグルーブを再生トレース可能であり、ディスクの回転を制御するためのデータ領域と分析対象が配置される読み取りエリアとを有する分析用ディスクであって、
前記分析対象が配置される読み取りエリアに対して回転方向の直前位置に、前記読み取りエリアの径方向の区間にわたってマークを記録した
分析用ディスク。
【請求項６】
ピットもしくはグルーブを再生トレース可能であり、ディスクの回転を制御するためのデータ領域と分析対象が配置される読み取りエリアとを有する分析用ディスクであって、
前記分析対象が配置される読み取りエリアに対して回転方向の直前位置と直後位置に、前記読み取りエリアの径方向の区間にわたってマークを記録した
分析用ディスク。
【発明の詳細な説明】
【０００１】
【発明の属する技術分野】
本発明は、血液などの分析対象を分析用の光ディスクにセットし、この分析対象をトレースして映像として捉えようする分析装置に関する。
【０００２】
【従来の技術】
特表平１０−５０４３９７号公報などにあるように、光ディスクの再生機能を用いてディスク上のある部分に試験しようとする分析対象を設けて、トレースし分析対象の映像を取得する方法がある。
【０００３】
通常、光ディスク１０１は図６と図７に示すように、基盤１０２の面にアルミ反射層のトラック１０３を形成し、そのトラックに微細な凹凸のピットとグルーブ１０４で情報が記録されている。１０５は保護層である。
【０００４】
図５に示す一般的な光ディスクドライブでは、ディスクモータ１０６で光ディスク１０１を矢印Ｃ方向に回転させながら、トラック１０３上をピックアップ１０７からのレーザー光Ｐｈで読み取る。ピックアップ１０７は、トラバースモータ１０８で駆動される送りねじ１０９に螺合しており、サーボコントロール回路１１０が、ピックアップ１０７の再生出力に基づいてトラック１０３を追随してトレースするように、トラバースモータ１０８を駆動してピックアップ１０７を径方向に移動させる。また、サーボコントロール回路１１０は、トラック１０３に記録されているアドレス情報を検出し、線速度が一定になるようにディスクモータ１０６を駆動（ＣＬＶ制御）する。
【０００５】
さらに詳しくは、レーザー光Ｐｈの光ディスク１０１への照射位置は、トラバースモータ１０８の駆動だけでなく、ピックアップ１０７の内部に設けられたトラッキングアクチュエータ（図示せず）によってレーザー光Ｐｈの光路を光ディスク１０１の面方向に必要に応じて併せて駆動して位置制御しながら正確にトラック１０３をトレースするように構成されている。
【０００６】
ここで、分析用ディスクの場合には、オーディオ用やビデオ用ＣＤの場合とは異なり、さらに分析対象１１１が図６と図７に示したように、光ディスク１０１に配置され、従来の光ディスクドライブの技術を使用した分析装置は、この分析対象１１１からの反射光を図８に示すピックアップ１０７のＰＤ（フォトディテクタ）１１７で読み取って映像信号処理回路１１２で処理して分析対象１１１の映像を得ようとするものである。
【０００７】
図８は図５に示したピックアップ１０７のパワー制御回路を示す。
ディスク１０１のピットやグルーブ等で書かれた情報や各駆動サーボ用の情報を読み取るためのレーザー光出力は、ピックアップ１０７のＬＤ（レーザーＬＥＤ）１１３から発せられてディスク１０１に照射されると同時にモニター受光素子であるフロントモニタ１１４に照射される。
【０００８】
そのフロントモニタ１１４の出力電圧は、ＡＰＣ回路（オートパワーコントロール回路）１１５に入力される。ＡＰＣ回路１１５はフロントモニタ１１４の電圧が一定になるように、レーザー駆動回路１１６を動作させてＬＤ１１３の出力が一定になるようにフィードバック制御が行われている。前記分析装置においても例外ではなく同様の制御が行われる。これはディスク上のピットやグルーブなどの信号を安定に捕捉するには有効に作用する。
【０００９】
なお、図５と図８で示した光ディスクドライブでは、ピックアップ１０７のＬＤ１１３とＰＤ１１７とを光ディスク１０１に対して片側に設け、光ディスク１０１に照射されて反射したレーザー光の検出信号を処理するように構成したが、ピックアップ１０７を、図９に仮想線で示すように、光ディスク１０１を挟んでＬＤ１１３とＰＤ１１７を配設して、光ディスク１０１に照射されて透過したレーザー光の検出信号を処理するように構成された光ディスクドライブのピックアップ１０７のパワー制御回路も図８と同様である。
【００１０】
【発明が解決しようとする課題】
しかし、分析対象１１１の部分の映像取得に最適なレーザー出力は、前記ピットやグルーブなどを捕捉する出力が最適とは限らない。
【００１１】
これはディスク１０１の内部に設けられたピットやグルーブから情報を取得するレーザー経路と、分析対象１１１から映像取得するレーザー経路とが異なることによる。
【００１２】
本発明は、ピットやグルーブからの情報取得に最適なレーザー出力が得られ、しかも分析対象１１１からの映像取得に最適なレーザー出力が得られる分析装置を提供することを目的とする。
【００１３】
【課題を解決するための手段】
この課題を解決するために本発明は、分析対象の映像取得する時は検出映像の明暗でもってコントロールするように構成したものである。これにより、分析対象からの映像取得時に最適なコントラストの映像が得られる。
【００１４】
本発明の請求項１記載の分析装置は、一部に分析対象を配置した分析用光ディスクに検出光を照射し、前記分析対象の状態を読み取る分析装置において、分析用光ディスクに照射されるレーザー光を発生するレーザー素子のパワー制御系として、前記レーザー光の出力をモニター受光素子で検出してこのモニター受光素子の値が一定になるようにフィードバックする第１の切り替え状態と、分析用光ディスクに照射されて反射または透過したレーザー光の検出信号の平均値が一定になるようにフィードバックする第２の切り替え状態を設け、分析用光ディスクの分析対象の読み取り位置を検出するまでは前記パワー制御系を第１の切り替え状態に切り替えて、分析用光ディスクの分析対象の読み取り位置では前記パワー制御系を第２の切り替え状態に切り替える制御手段を設けたことを特徴とする。
【００１５】
本発明の請求項２記載の分析装置は、請求項１において、制御手段は、分析用光ディスクの読み取り位置の直前位置に設けられたマークを検出してレーザー素子のパワー制御系を第２の切り替え状態に切り替えるよう構成したことを特徴とする。
【００１６】
本発明の請求項３記載の分析装置は、請求項１において、制御手段は、分析用光ディスクの読み取り位置の直前位置に設けられたマークを検出してレーザー素子のパワー制御系を第２の切り替え状態に切り替え、規定時間の経過を検出してパワー制御系を第１の切り替え状態に復帰させるよう構成したことを特徴とする。
【００１７】
本発明の請求項４記載の分析装置は、請求項１において、制御手段は、分析用光ディスクの読み取り位置の直前位置に設けられたマークを検出してレーザー素子のパワー制御系を第２の切り替え状態に切り替え、前記読み取り位置の直後位置に設けられたマークを検出してパワー制御系を第１の切り替え状態に復帰させるよう構成したことを特徴とする。
【００１８】
本発明の請求項５記載の分析用ディスクは、ピットもしくはグルーブを再生トレース可能であり、ディスクの回転を制御するためのデータ領域と分析対象が配置される読み取りエリアとを有する分析用ディスクであって、前記分析対象が配置される読み取りエリアに対して回転方向の直前位置に、前記読み取りエリアの径方向の区間にわたってマークを記録したことを特徴とする。
【００１９】
本発明の請求項６記載の分析用ディスクは、ピットもしくはグルーブを再生トレース可能であり、ディスクの回転を制御するためのデータ領域と分析対象が配置される読み取りエリアとを有する分析用ディスクであって、前記分析対象が配置される読み取りエリアに対して回転方向の直前位置と直後位置に、前記読み取りエリアの径方向の区間にわたってマークを記録したことを特徴とする。
【００２０】
【発明の実施の形態】
以下、本発明の実施の形態を図１〜図４に基づいて説明する。
なお、図５〜図９に示した従来例と同様のものには同一の符号を付けて説明する。
【００２１】
図１は本発明の実施の形態の分析装置のピックアップ１０７のパワー制御回路を示し、図２〜図４はこの分析装置で使用する分析用光ディスク２０１を示す。
まず、分析用光ディスク２０１を説明する。
【００２２】
分析用光ディスク２０１は、図２に示すように光ディスクに、検体と検査項目に応じた試薬との混合物が分析対象１１１としてセットされており、分析対象１１１が配置された読み取りエリア２０３に対して回転方向Ｃの直前位置のみに、読み取りエリアの径方向（矢印Ａ方向）の区間にわたってマーク２０４が記録されている。
【００２３】
分析用光ディスク２０１における分析対象１１１の位置ならびに分析用光ディスク２０１に対するマーク２０４の具体例は、図３に示すように構成されている。
【００２４】
図３（ａ）に示すように、分析対象１１１は分析用光ディスク２０１の表面２０２ａとトラック１０３の間に設けられている。マーク２０４は分析用光ディスク２０１の裏面２０２ｂにインク２０５を帯状に印刷して形成されている。この図３（ａ）において、２０６は鏡面加工されたトラック１０３に形成されたピットもしくはグルーブである。２０７は鏡面加工されたトラック１０３に形成されたランドである。
【００２５】
なお、分析対象１１１は図５（ａ）に仮想線で示すように示すように分析用光ディスク２０１の裏面２０２ｂとトラック１０３の間に設けて構成した場合も同様である。
【００２６】
図１に示したパワー制御回路は、ＡＰＣ回路１１５へフィードバックする入力信号を、切り替えスイッチ２０８によって切り替えている。この切り替えスイッチ２０８は、フロントモニタ１１４の出力信号または積分回路２０９の出力信号の何れかをＡＰＣ回路１１５へフィードバックしており、この切り替えスイッチ２０８はマイクロコンピュータ２１０によって次のように制御されている。
【００２７】
マイクロコンピュータ２１０は、分析用光ディスク２０１上のＥＦＭ信号やウオブル信号を取得する時には、フロントモニタ１１４の出力信号がＡＰＣ回路１１５へフィードバックされるように切り替えスイッチ２０８を切り替えて、フロントモニタ１１４の出力電圧が一定になるようにＬＤ１１３のレーザー出力がコントロールされる。
【００２８】
このようにフロントモニタ１１４の出力電圧が一定になるようにＬＤ１１３のレーザー出力がコントロールされている運転中に、ＰＤ１１７の出力信号からマイクロコンピュータ２１０が前記マーク２０４を検出すると、マイクロコンピュータ２１０は、映像信号処理回路１１２の出力信号を積分して出力する積分回路２０９の出力信号を、ＡＰＣ回路１１５へフィードバックされるように切り替えスイッチ２０８を自動的に切り替えて、分析用光ディスク２０１の分析対象１１１の映像の明暗をはっきりさせるため行う。
【００２９】
詳しく説明すると、分析対象１１１からの反射光はＰＤ１１７でとらえて、映像信号処理回路１１２へ入力される。分析用光ディスク２０１上をトレースしているのはレーザー光ポイント（点）であるため、分析対象１１１により光の反射は時間とともに強弱に変化することになる。これを積分回路２０９によって平均化して、映像信号処理回路１１２から出力される映像の明暗（コントラスト）が平均値になるようにレーザー光の出力をフィードバック制御している。
【００３０】
なお、マーク２０４を検出してＡＰＣ回路１１５へ積分回路２０９の出力信号をフィードバックするように切り替えられた切り替えスイッチ２０８は、マーク２０４を検出から規定時間後にフロントモニタ１１４の出力電圧をＡＰＣ回路１１５へフィードバックする状態に戻される。
【００３１】
このように構成したため、ピットやグルーブからの情報取得に最適なレーザー出力が得られ、しかも分析対象１１１からの映像取得に最適なレーザー出力によって映像コントラストが最適な映像出力を得ることができる。
【００３２】
上記の実施の形態では、マーク２０４は分析用光ディスク２０１の裏面２０２ｂにインク２０５を帯状に印刷して形成したが、図３（ｂ）または（ｃ）に示すようにして構成することもできる。
【００３３】
図３（ｂ）の場合は、鏡面加工されたトラック１０３の一部に鏡面が欠落した個所２１１を設けてマーク２０４を同様に実現できる。更に具体的には、ＤＶＤのミラー面に設けてあるＢＣＡのようなものである。
【００３４】
図３（ｃ）の場合は、分析用光ディスク２０１の外形の一部に凹部などの形状の異形個所２１２を設けてマーク２０４を同様に実現できる。更に具体的には、ディスクそのものの形状を異型させて、光の反射がデータトラック面と変えたものである。
【００３５】
上記の各実施の形態では、分析対象１１１が配置された読み取りエリア２０３に対して回転方向の直前位置にマーク２０４を配置し、マイクロコンピュータ２１０がマーク２０４を認識してから規程時間後に切り替えスイッチ２０８を元の状態に復帰させるように構成したが、図４に示すように分析対象１１１の直前位置だけでなく直後位置にも分析用光ディスク２０１に同様のマークを設け、マイクロコンピュータ２１０を分析対象１１１の直後位置に設けられたマークを検出して切り替えスイッチ２０８を元の状態に復帰させるように構成することもできる。
【００３６】
上記の各実施の形態の分析用光ディスク２０１のマーク２０４は、印刷もしくは鏡面欠落もしくは形状異型により形成したが、分析用光ディスク２０１のピットもしくはグルーブ２０６もしくはランド２０７に前記マークを設けることもできる。
【００３７】
具体的には、前記マークをピックアップ１０７で検出することによりトラックデータ部分と前記分析対象１１１が配置された読み取りエリア２０３とを区別できるようにしたものであり、以下のような例がある。
【００３８】
ＥＦＭやＭＦＭなどのピットで構成されたものである。更に具体的には、プリピット、ＬＰＰ（ランドプリピット）（ＤＶＤ−Ｒ／ＲＷでアドレス情報として記録するトラックとトラックの間のランド部にプリピットとして刻まれているものである。更に具体的には、ＣＡＰＡ（ＤＶＤ−ＲＡＭのアドレス用のプリピット）など。ウォーブルなど、グルーブ上もしくはランド上になんらかの変調を重畳させたものである。
【００３９】
分析用ディスク２０１におけるピットもしくはグルーブもしくはランドで構成される前記マークの詳しい位置と範囲は、前記分析対象１１１が配置された読み取りエリア２０３に対して回転方向の直前位置，前後位置の何れかであって、前記の各実施の形態と同じである。
【００４０】
ピットもしくはグルーブもしくはランドで前記マークが形成された分析用ディスク２０１を使用する分析装置は、ピックアップ１０７が前記マークを読み取ってマーク位置を検出した各トリガー信号を発生するように構成した点だけが前記の各実施の形態とは異なっている。
【００４１】
なお、上記の各実施の形態では、ピックアップ１０７のＬＤ１１３とＰＤ１１７とを光ディスク１０１に対して片側に設け、光ディスク１０１に照射されて反射したレーザー光の検出信号を処理するように構成したが、ピックアップ１０７を、図９に仮想線で示したように、光ディスク１０１を挟んでＬＤ１１３とＰＤ１１７を配設して、光ディスク１０１に照射されて透過したレーザー光の検出信号を処理するように構成された光ディスクドライブのピックアップ１０７のパワー制御回路も図１と同様である。
【００４２】
【発明の効果】
以上のように本発明の分析装置によれば、分析用光ディスクに照射されるレーザー光を発生するレーザー素子のパワー制御系として、前記レーザー光の出力をモニター受光素子で検出してこのモニター受光素子の値が一定になるようにフィードバックする第１の切り替え状態と、分析用光ディスクに照射されて反射または透過したレーザー光の検出信号の平均値が一定になるようにフィードバックする第２の切り替え状態を設け、分析用光ディスクの分析対象の読み取り位置を検出するまでは前記パワー制御系を第１の切り替え状態に切り替えて、分析用光ディスクの分析対象の読み取り位置では前記パワー制御系を第２の切り替え状態に切り替える制御手段を設けたため、ピットやグルーブからの情報取得に最適なレーザー出力が得られ、しかも分析対象からの映像取得に最適なレーザー出力が得られ、コントラストの良い映像が取得できるものである。
【図面の簡単な説明】
【図１】本発明の分析装置の構成図
【図２】同実施の形態で使用する分析用光ディスクの平面図
【図３】同実施の形態の分析用光ディスクの断面図
【図４】分析対象の前後位置にマークを設けた分析用光ディスクの平面図
【図５】一般的な光ディスクドライブ装置の構成図
【図６】従来の分析用光ディスクの一部切り欠き平面図
【図７】従来の分析用光ディスクの断面図
【図８】従来のピックアップのパワー制御回路の構成図
【図９】従来の透過型ピックアップのＬＤ（レーザーＬＥＤ）とＰＤ（フォトディテクタ）の配置状態を示す分析用光ディスクの断面図
【符号の説明】
１０６　　ディスクモータ
１０７　　ピックアップ
Ｐｈ　　レーザー光
１１１　　分析対象
１１７　　ＰＤ（フォトディテクタ）
１１２　　映像信号処理回路
１１３　　ＬＤ（レーザーＬＥＤ）
１１４　　フロントモニタ
１１５　　ＡＰＣ回路（オートパワーコントロール回路）
１１６　　レーザー駆動回路
２０１　　分析用光ディスク
２０３　　読み取りエリア
２０４　　マーク
２０２ａ　　分析用光ディスク２０１の表面
２０２ｂ　　分析用光ディスク２０１の裏面
２０５　　インク
２０６　　ピットもしくはグルーブ
２０７　　ランド
２０８　　切り替えスイッチ
２０９　　積分回路
２１０　　マイクロコンピュータ
【図１】
2004020452.tif 000003
【図２】
2004020452.tif 000004
【図３】
2004020452.tif 000005
【図４】
2004020452.tif 000006
【図５】
2004020452.tif 000007
【図６】
2004020452.tif 000008
【図７】
2004020452.tif 000009
【図８】
2004020452.tif 000010
【図９】
2004020452.tif 000011